(57)【要約】【課題】かご部だけで単独に使用できるよう台座部から着脱自在な構造を有し、かつ、いつでも簡単にコンパクトにかご部を折り畳める構造を有したボールかごを提供する。【解決手段】ボールかご１は、複数の支柱４Ａ〜４Ｄを有した台座部２と、柔軟性のある素材で作られたボール収容部６及び変形可能なかご枠体７とを有したかご部３と、を備える。かご枠体７は、支柱４Ａ〜４Ｄの上端４１Ａ〜４１Ｄに着脱自在に取り付けられる。かご枠体７は、複数の棒状部材と、隣接する該棒状部材を枢支して平面視ｎ角形（ｎ＝４以上の整数）を形成する連結部と、を備える。かご枠体７の変形時には、少なくとも一つの連結部では内角が広がるように該内角を形成する棒状部材を枢動し、残りの少なくとも一つの連結部では内角が狭まるように該内角を形成する棒状部材を枢動して、ボール収容部６を変形させることができる。【選択図】図１
0003203487.tif 000002
【実用新案登録請求の範囲】
【請求項１】
地面に対して垂直に延びた複数の支柱を有した台座部と、
ボールを出し入れするための開口部を有しかつ少なくとも一部が柔軟性のある素材で作られたボール収容部と、該ボール収容部に取り付けられたまま変形可能なかご枠体と、を有したかご部と、
を備えたボールかごであって、かつ、
前記かご枠体は、前記支柱の上端に着脱自在に取り付けられ、
前記かご枠体は、複数の棒状部材と、隣接する該棒状部材を枢支して平面視ｎ角形（ｎは４以上の整数）を形成する連結部と、を備え、
前記かご枠体の変形時には、少なくとも一つの連結部では内角が広がるように該内角を形成する前記棒状部材を枢動し、残りの少なくとも一つの連結部では内角が狭くなるように該内角を形成する前記棒状部材を枢動して、前記ボール収容部を変形させることを特徴とするボールかご。
【請求項２】
前記ｎ角形が偶数多角形であり、かつ、
前記かご枠体の変形時には、対角し合う一対の連結部では互いの内角が広がるように該内角を形成する前記棒状部材を枢動し、対角し合う残りの少なくとも一対の連結部では互いの内角が狭くなるように該内角を形成する前記棒状部材を枢動できることを特徴とする請求項１に記載のボールかご。
【請求項３】
前記ｎ角形が四角形であることを特徴とする請求項２に記載のボールかご。
【請求項４】
前記連結部が前記支柱の前記上端に載置されるとともに前記ボール収容部が前記支柱間の内部空間に収まるように前記棒状部材の長さが決められ、かつ、前記連結部を着脱自在に載置可能な受容形状を有した受け部が前記上端に設けられることを特徴とする請求項１〜３のいずれかに記載のボールかご。
【請求項５】
前記支柱には、前記上端より下方に移動端が設けられ、
前記支柱の前記上端又は前記移動端に一端が枢支され、該支柱に隣接する支柱の前記移動端又は前記上端に他端が枢支された少なくとも一対のアーム部が設けられ、
前記アーム部同士を互いの長手方向の中央で枢支する中央ピンが設けられ、かつ、
前記アーム部と前記中央ピンとが前記支柱間の距離を増減可能とするＸ字状アームを構成することを特徴とする請求項１〜４のいずれかに記載のボールかご。
【請求項６】
前記ボール収容部の少なくとも一部が、該収容部の内部を視認できるようメッシュ又は透明部材で作られていることを特徴とする請求項１〜５のいずれかに記載のボールかご。
【請求項７】
前記かご部には前記ボール収容部の前記開口部を覆うカバーと、該カバーに設けられて前記開口部を開閉自在とする開閉規制部が設けられていることを特徴とする請求項１〜６のいずれかに記載のボールかご。
【考案の詳細な説明】
【技術分野】
【０００１】
本考案は、野球ボール、テニスボール、その他の球技用のボールを収容するためのボールかごに関するものである。
【背景技術】
【０００２】
テニスや野球などの球技を楽しむ際には、会場に多くの球技用ボールを一度に運搬でき、プレーヤーの近くでボールを保管しておける収容容器（すなわち、「ボールかご」）が利用される。ボールかごには、プレーヤーが立ったままでもボールを取り易くするために、かご部を所定の高さに保持するための台座部が該かご部の下に設けられたものがある（例えば、特許文献１〜３を参照）。
【０００３】
このようなボールかごは、運搬や保管が容易となるよう、台座部がコンパクトに変形可能な構造を有したものがある。より具体的には、特許文献１や２に示すように、台座部の支柱を枢支・連結して該支柱間距離を短縮できるＸ字状アームが設けられている。
【０００４】
しかしながら、特許文献１，２に開示のボールかごは、かご部は柔らかな布製であり、台座部上面を覆いかぶさるように台座部の上端に絶えず取り付けられており、かご部のみを切り離して単独で使用できるものではない。従って、会場でボールを収集する際などには、収集者は、かご部のみを携帯しながらボールを集めるような事はできず、かご部と一体になった台座部を引き摺りながらボールを集めるか、又は、ボールかごを置いたままにして自分の掌でボールを集めるかしなければならない。後者の場合、掌でボールを持ちきれなくなると、一旦、元のボールかごにまで戻らなければならない等の不便があった。
【０００５】
一方、特許文献３のボールかごは、台座部からかご部を取り外し可能な構造を開示する。かご部は、金属製の線条部材（金属製の骨組み）からなる金属かごである。この金属かごは、組立て時に、４つの側面かごを、底面かごに重なった状態から底面かごに対して垂直に立設した状態に回転して、一部の側面かごに付属された延設部材内の雄ネジ部に別体のナット部材を螺合させることで、コンパクトな状態から最終の使用状態に変更することができるものである。
【０００６】
特許文献３に開示のかご部の構造によって、かご部自体のみを運搬できるようになるが、多数の金属製線条部材の重量により、持ち運びが不便になることが心配される。また、運搬時などには耳障りな金属接触音が発生することも考えられる。
【０００７】
また、特許文献３の金属かごは、その組立時の締結構造から、毎回の球技の開始・終了の際に、プレーヤーがドライバーをわざわざ用意してかご部を折り畳むことまでは、到底予想できない。仮に、プレーヤーがドライバーを使ってかご部を折り畳むことができたとしても、その際に取り外したナット部材等の締結部材の置き場に困るし、これらの付属品を無くしてしまうのではないかとの心配もするだろう。
【０００８】
このように、特許文献３のかご部を一旦、組み上げると、都度の組立・分解が厄介であるため、組み上がった最終の完成形態のままでかご部を使用し続けることが当然予想される。つまり、特許文献３のかご部は、会場への行き帰りの車内や倉庫内でボールを収容する必要がない時でも嵩張った最終形態を採らざるを得ないため、運搬や保管に際し、余計なスペースを取ってしまうことが懸念される。
【先行技術文献】
【特許文献】
【０００９】
【特許文献１】意匠登録第１２０１２４２号公報
【特許文献２】特許第４４６５０９８号公報
【特許文献３】特開２００９−１８３５２６号公報
【考案の概要】
【考案が解決しようとする課題】
【００１０】
本考案は、従来の実情に鑑みて提案されたものであり、かご部だけでも単独に使用でき、かつ、いつでも簡単にコンパクトにかご部を折り畳める構造を有したボールかごを提供することを目的とする。
【００１１】
さらに、本考案のもう一つの目的は、ドライバーやレンチ等の追加の組付手段を使って分解や組付けを要せずにかご部や台座部を別々に分けて、コンパクトに折り畳んだ状態でも運搬・保管可能なボールかごを提供することを目的とする。
【課題を解決するための手段】
【００１２】
本考案者らは、鋭意検討した末、（１）柔軟素材からなる袋状部材に加えて、複数の棒状部材によって連結された平面視矩形（多角形）のかご枠体をかご部の構成部材とすること、（２）棒状部材の連結部は互いの部材が回動（枢動）自在に枢支されるようにすること、かつ、（３）かご枠体の変形時には、少なくとも一つの連結部でその内角を互いに広げるよう枢動しつつ、残りの少なくとも一つの連結部でその内角を狭くするよう枢動できる構造などを見出し、本考案を完成するに至った。
【００１３】
すなわち、本考案は、例えば、次の構成・特徴を採用するものである。
（態様１）
地面に対して垂直に延びた複数の支柱を有した台座部と、
ボールを出し入れするための開口部を有しかつ少なくとも一部が柔軟性のある素材で作られたボール収容部と、該ボール収容部に取り付けられたまま変形可能なかご枠体と、を有したかご部と、
を備えたボールかごであって、かつ、
前記かご枠体は、前記支柱の上端に着脱自在に取り付けられ、
前記かご枠体は、複数の棒状部材と、隣接する該棒状部材を枢支して平面視ｎ角形（ｎは４以上の整数）を形成する連結部と、を備え、
前記かご枠体の変形時には、少なくとも一つの連結部では内角が広がるように該内角を形成する前記棒状部材を枢動し、残りの少なくとも一つの連結部では内角が狭くなるように該内角を形成する前記棒状部材を枢動して、前記ボール収容部を変形させることを特徴とするボールかご。
（態様２）
前記ｎ角形が偶数多角形であり、かつ、
前記かご枠体の変形時には、対角し合う一対の連結部では互いの内角が広がるように該内角を形成する前記棒状部材を枢動し、対角し合う残りの少なくとも一対の連結部では互いの内角が狭くなるように該内角を形成する前記棒状部材を枢動できることを特徴とする態様１に記載のボールかご。
（態様３）
前記ｎ角形が四角形であることを特徴とする態様２に記載のボールかご。
（態様４）
前記連結部が前記支柱の前記上端に載置されるとともに前記ボール収容部が前記支柱間の内部空間に収まるように前記棒状部材の長さが決められ、かつ、前記連結部を着脱自在に載置可能な受容形状を有した受け部が前記上端に設けられることを特徴とする態様１〜３のいずれかに記載のボールかご。
（態様５）
前記支柱には、前記上端より下方に移動端が設けられ、
前記支柱の前記上端又は前記移動端に一端が枢支され、該支柱に隣接する支柱の前記移動端又は前記上端に他端が枢支された少なくとも一対のアーム部が設けられ、
前記アーム部同士を互いの長手方向の中央で枢支する中央ピンが設けられ、かつ、
前記アーム部と前記中央ピンとが前記支柱間の距離を増減可能とするＸ字状アームを構成することを特徴とする態様１〜４のいずれかに記載のボールかご。
（態様６）
前記ボール収容部の少なくとも一部が、該収容部の内部を視認できるようメッシュ又は透明部材で作られていることを特徴とする態様１〜５のいずれかに記載のボールかご。
（態様７）
前記かご部には前記ボール収容部の前記開口部を覆うカバーと、該カバーに設けられて前記開口部を開閉自在とする開閉規制部が設けられていることを特徴とする態様１〜６のいずれかに記載のボールかご。
【考案の効果】
【００１４】
本考案によれば、かご部は、棒状部材とこれらの部材を枢支（つまり回転（枢動）可能に連結）する連結部とで構成されたかご枠体と、ボール収容部と、を備える。上述のように、かご枠体が台座部の支柱から着脱自在であるため、かご部だけでも単独に使用できる。
【００１５】
それだけでなく、かご枠体の変形時には、少なくとも一つの連結部では内角が広がるように該内角を形成する前記棒状部材を枢動し、残りの少なくとも一つの連結部では内角が狭くなるように該内角を形成する前記棒状部材を枢動できるよう構成されている。これにより、かご部をいつでも簡単にコンパクトに折り畳めるようになる。なお、かご枠体以外にかご部を構成するボール収容部は、柔軟性のある素材（例えば、薄い布地やナイロン等の合成樹脂）で作られているため、かご枠体の変形に応じて変形可能である。さらに、この柔軟素材の部分で変形可能なかご部の変形時や運搬時には、従来製品（例、特許文献３）で問題となるような金属接触音等の耳障りな騒音は発生しない。
【００１６】
本考案の好適な態様によれば、かご枠体の平面視は、偶数多角形（より好ましくは四角形）となる。これにより、かご枠体の変形時には、対角し合う一対の連結部では互いの内角が広がるように該内角を形成する前記棒状部材を枢動し、対角し合う残りの少なくとも一対の連結部では互いの内角が狭くなるように該内角を形成する前記棒状部材を枢動できるため、かご枠体をより一層コンパクトに折り畳むことが可能となる。
【００１７】
本考案の好適な態様によれば、支柱間にＸ字状アームを備えた台座部を採用するため、かご部だけでなく台座部も折り畳むことができるようになるため、省スペースでのボールかごの運搬・保管が実現される。
【図面の簡単な説明】
【００１８】
【図１】本考案のボールかごを示した分解斜視図である。
【図２】実施例のかご枠体の変形前と変形後の状態を示した平面図である。
【図３】他の変形例のかご枠体の変形前と変形後の状態を示した概略平面図である。
【図４】台座部（変形状態）の上端と受け部を示した拡大図である。
【図５】（ａ）かご部の変形状態と（ｂ）台座部の変形状態を示した図である。
【図６】（ａ）かご部単体の使用状態と（ｂ）ボールかごの使用状態と、を示した図である。
【考案を実施するための形態】
【００１９】
以下、本考案を図面に示す実施例に基づき説明するが、本考案は、下記の具体的な実施例に何等限定されるものではない。なお、各図において同一又は対応する要素には同一符号を用いる。
【００２０】
図１は、後述の実施例に係るボールかご１において、台座部２と、かご部３と、を分離した状態の斜視図である。図２は、実施例のかご枠体７（平面視ｎ角形、ｎ＝４の場合）の変形前の状態（図２（ａ））と変形後の状態（図２（ｂ））を示した平面図である。図３は、他の変形例のかご枠体（平面視ｎ角形、ｎ＝５，６の場合）の変形前後の状態（図３（ａ）〜図３（ｄ））を示した概略平面図である。図４は、変形後の台座部２の上端４１Ａ〜４１Ｄと、これに設置された受け部４３Ａ〜４３Ｄと、この受け部の一つ４３Ｄに載置可能な連結部７２Ｄと、を示した拡大図である。
【００２１】
本考案者らは、本考案を実証するため実際に実施例（かご枠体７の平面視ｎ角形、ｎ＝４の場合）のボールかご１を製造し、本考案の作用効果の確認も行った。図５は、本考案者らによって製造されたかご部３が折り畳まれた状態（図５（ａ））と、台座部２が折り畳まれた状態（図５（ｂ））を示した図である。図６は、本考案者らによって製造されたかご部３を単体で使用した状態（図６（ａ））と、ボールかご１全体として使用した状態（図６（ｂ））を示した図である。
【実施例】
【００２２】
図１は、本考案の実施例に係るボールかご１の構成部品を示した分解斜視図である。このボールかご１は、大きく分類して、台座部２とかご部３とを備える。台座部２は地面に対して垂直に延びた複数の支柱４Ａ，４Ｂ，４Ｃ，４Ｄを有する。なお、支柱４Ａ，４Ｂ，４Ｃ，４Ｄの下端４２Ａ，４２Ｂ，４２Ｃ，４２Ｄには、キャスター５Ａ，５Ｂ，５Ｃ，５Ｄが取り付けられていることが好ましい。これにより、キャスター５Ａ，５Ｂ，５Ｃ，５Ｄが地面に対して小さい摩擦抵抗で転がり接触するため、ボールかご１を所望の方向へ楽に移動することができる（台座部２単体で移動する時も同様である）。
【００２３】
一方、かご部３は、ボール８を出し入れするための開口部６１を有しかつ少なくとも一部が柔軟性のある素材で作られたボール収容部６と、該ボール収容部６に取り付けられたまま変形可能なかご枠体７と、を有する。ここで、「柔軟性のある素材」には、綿などの布、ナイロンなどの合成樹脂、紙の他、この素材で作られたボール収容部６が後述する「かご枠体７の変形」に応じて変形を許す程度の柔軟性を有するものであれば、これらの例示に限定されない。なお、ボール収容部６の開口部６１は、図１に示すように、該収容部６の上方に設けられ、ここを介して球技用ボール８を収納することができる。
【００２４】
次に、本考案で特に重要なかご枠体７の構造について説明する。かご枠体７は、図１に示すように、支柱４Ａ，４Ｂ，４Ｃ，４Ｄの上端４１Ａ，４１Ｂ，４１Ｃ，４１Ｄに着脱自在に取り付けられる。さらに、かご枠体７は、図２（ａ）に示すように、複数（好ましくは、支柱４Ａ，４Ｂ，４Ｃ，４Ｄの数に対応した数（図１では４本））の棒状部材と、隣接する棒状部材を枢軸７３Ａ，７３Ｂ，７３Ｃ，７３Ｄにて枢支して平面視多角形（頂点の数をｎとした場合、ｎ＝４以上の整数、図２（ａ）では四角形（より具体的には正方形））を形成する連結部７２Ａ，７２Ｂ，７２Ｃ，７２Ｄと、を備える。なお、θＡ〜θＤは、各連結部７２Ａ〜７２Ｄを基点に、ここに枢支された隣り合う棒状部材７１Ａ〜７１Ｄの間の内角を示す（図３（ａ）〜図３（ｄ）に示す他の変形例においても同様に表記する）。かご枠体７の棒状部材７１Ａ，７１Ｂ，７１Ｃ，７１Ｄは、ボール収容部６の外縁（各外周壁）に設けられた通し穴を有した帯６５に挿通されることにより、ボール収容部６と一体となってかご部３を形成する。
【００２５】
上述の平面視ｎ角形の他の変形例として、その概略を示す図３（ａ）及び図３（ｃ）を参照されたい。なお、図３（ａ）に示すかご枠体７では、棒状部材７１Ａ，７１Ｂ，７１Ｃ，７１Ｄ，７１Ｅの数が５本で、五角形（ｎ＝５で、より具体的には正五角形）を形成する連結部７２Ａ，７２Ｂ，７２Ｃ，７２Ｄ，７２Ｅを示す。なお、図３（ｂ）は、このかご枠体７の変形後の状態の一例を示す。
【００２６】
また、図３（ｃ）では、棒状部材７１Ａ，７１Ｂ，７１Ｃ，７１Ｄ，７１Ｅ，７１Ｆの数が６本で、六角形（ｎ＝６、より具体的には正六角形）を形成する連結部７２Ａ，７２Ｂ，７２Ｃ，７２Ｄ，７２Ｅ，７２Ｆを示す。なお、図３（ｄ）は、このかご枠体７の変形後の状態の一例を示す。
【００２７】
かご枠体７は、以上のように連結構造を有するため、以下のような変形（折り畳み）が可能となる。すなわち、図２（ｂ）、図３（ｂ）及び図３（ｄ）の各実施例に示すように、かご枠体７の変形時には、少なくとも一つの連結部（例えば、図２（ｂ）中の７２Ｂ）では、「内角θＢが広がる」ように該内角θＢを形成する棒状部材７１Ａ，７１Ｂを枢動する。この動きと同時に、残りの少なくとも一つの連結部（例えば、図２（ｂ）中の７２Ａ）では、「内角θＡが狭まる」ように該内角θＡを形成する棒状部材７１Ｄ，７１Ａを枢動できる。
【００２８】
ここで、かご枠体７の平面視多角形は、好ましくは、偶数多角形（例えば、角数ｎがｎ＝４，６，８，…の場合、図２（ａ）、図３（ｃ））であり、さらに好ましくは、実施例の四角形（ｎ＝４）であり、最も好ましくは正方形である。この好適な実施例（例えば、図２（ａ））の場合、かご枠体７の変形時には、図２（ｂ）に示すように、対角し合う（すなわち、一方の対角線ＤＬ２上にある）一対の連結部７２Ｂ，７２Ｄでは、「互いの内角θＢ，θＤが広がる」ように該内角θＢ，θＤを形成する棒状部材７１Ａ〜７１Ｄを枢動し、対角し合う（すなわち、他方の対角線ＤＬ１上にある）残りの少なくとも一対の連結部７２Ａ，７２Ｃでは、「互いの内角θＡ，θＣが狭まる」ように該内角θＡ，θＣを形成する棒状部材７１Ａ〜７１Ｄを枢動できるようになる。
【００２９】
また、同様に六角形（ｎ＝６）の実施例の場合も、図３（ｄ）に示すように、対角線ＤＬ２及びＤＬ３上の互いの内角（θＣ，θＦ及びθＢ，θＥ）が狭まり、対角線上ＤＬ１上の互いの内角θＡ，θＤが広がるように棒状部材７１Ａ〜７１Ｆ及び連結部７２Ａ〜７２Ｆが変形してかご枠体７（つまりかご部３）全体を折り畳むことができる。
【００３０】
これにより、かご枠体７の変形時にボール収容部６の収納空間を無駄のなく縮小できるようになり、かご部３全体のより一層の小型化を実現することができる。特に、四角形の場合は棒状部材７１Ａ〜７１Ｄや連結部７２Ａ〜７２Ｄの数が少なくて済むだけでなく、構造的に極めて簡素なかご枠体７となる。さらに、正方形の場合は、かご部３にボール８を出し入れし易いなどのボールの収納性、その他の使い勝手も向上する。
【００３１】
また、好ましくは、図１に示すように、連結部７２Ａ〜７２Ｄが支柱４Ａ〜４Ｄの上端４１Ａ〜４１Ｄに載置されるとともにかご収容部６が支柱４Ａ〜４Ｄ間の内部空間に収まるように棒状部材７１Ａ〜７１Ｄの長さが決められ、かつ、連結部７２Ａ〜７２Ｄを着脱自在に載置可能な受容形状を有した受け部４３Ａ〜４３Ｄが上端４１Ａ〜４１Ｄに設けられる。
【００３２】
これにより、かご枠体７の正面視多角形の各頂点に位置する連結部７２Ａ〜７２Ｄが、台座部２の支柱４Ａ〜４Ｄの真上に確実に受容されるため、台座部２内にかご部３を安定して載置しておくことができる。
【００３３】
ここで、受け部４３Ａ〜４３Ｄが、図４に示すように、連結部７２Ａ〜７２Ｄの下側部分（好ましくは下半部）に対応した凹形状を成し、受け部４３Ａ〜４３Ｄの上面が開口されていることが好ましい。これにより、かご枠体７（すなわち、かご部３）の台座部２への着脱が極めて容易となる。なお、実際には、台座部２は、図１に示すように、各支柱４Ａ〜４Ｅは互いの間隔を所定距離だけ広げた状態で、かご部３のかご枠体７を各受け部４３Ａ〜４３Ｄに載置する。
【００３４】
また、本考案の台座部２にも、従来製品と同様に、折り畳み（伸縮）構造が設けられたものを採用することが好ましい。例えば、図１に示すようなアーム部４５Ａから構成されたＸ字状アーム構造である。支柱４Ａ〜４Ｄには、その上端４１Ａ〜４１Ｄより下方に移動端４４Ａ〜４４Ｄが設けられる。支柱４Ａの上端４１Ａ又は移動端４４Ａに一端がピン等で枢支され、該支柱（例えば、４Ａ）に隣接する支柱（例えば、４Ｂ）の移動端４４Ｂ又は上端４１Ｂに他端がピン等で枢支された少なくとも一対のアーム部（例えば、４５Ａ，４５Ａ）が設けられる。アーム部４５Ａ，４５Ａ同士を互いの長手方向の中央で枢支する中央ピン（例えば、４６Ａ）が設けられる。このように構成されたるＸ字状アームは、アーム部４５Ａ，４５Ａと中央ピン４６Ａとが支柱４Ａ−４Ｂ間の距離を増減可能とする。なお、図中に符号は付さないが、同様のＸ字状アーム構造が残りの支柱間（４Ｂ−４Ｃ，４Ｃ−４Ｄ，４Ｄ−４Ａ）にも設けられている。また、アーム固定部４７は、かご部３を台座部２に取り付けるためにアーム部４５Ａを所定距離だけ広げた状態を保持するためのものである。
【００３５】
これにより、ボールかご１の運搬時や保管（不使用）時には、図５（ｂ）に示すように、支柱４Ａ〜４Ｄ間の距離を最小限に縮めることができる。
【００３６】
なお、ボール収容部６の少なくとも一部が、該ボール収容部６の内部を視認できるようメッシュ（例えば、図１や図６（ｂ）を参照）又は透明部材で作られていることが好ましい。これにより、収容部６に収納された中身８（図６（ｂ）ではボール）の状態（ボール８の有無や数量）を遠方からでも簡単に目視することができるようになる。
【００３７】
さらに、かご部３にはボール収容部６の開口部６１を覆うカバー６２と、カバー６２に設けられて開口部６１を開閉自在とする開閉規制部６３（例えば、ジッパー）が設けられていることが好ましい。これにより、中身８を入れたままかご部３が移動したり、かご部３が傾いたりした際に、中身８がかご部３より外側に落下する危険を完全に無くすことができるようになる。なお、図６（ｂ）に示すカバー６２の部分がメッシュ状に作られており、中身８の収納状態を外側から目視可能にする。
【００３８】
さらに、図６（ａ）に示すように、かご部３には持ち手６４が取り付けられていることが好ましい。これにより、かご部３は単独で使用し、運搬する際に便利となり、まるで、鞄のように扱うことができるようになる。これにより、ボールかご１での収容を予定される物以外の持ち物（例えば、他のスポーツ用品やその他の携帯すべき備品）をまとめて持ち運ぶことができるようになる。この観点から、かご部３には、別途、備品用収納ポケット（図示せず）を設けてもよい。
【産業上の利用可能性】
【００３９】
本考案によれば、従来の同種の製品に比較して、かご部を鞄のように単独で使用できるなど、より使い勝手に優れたボールかごを提供することができる。さらに、省スペースでの運搬や保管の面でも従来製品に比べ優れている。このように、本考案は、産業上の利用価値及び産業上の利用可能性が非常に高い。
【符号の説明】
【００４０】
１    ボールかご
２    台座部
３    かご部
４Ａ，４Ｂ，４Ｃ，４Ｄ    支柱
５Ａ，５Ｂ，５Ｃ，５Ｄ    キャスター
６    ボール収容部
７    かご枠体
８    ボール（中身）
４１Ａ，４１Ｂ，４１Ｃ，４１Ｄ    支柱の上端
４２Ａ，４２Ｂ，４２Ｃ，４２Ｄ    支柱の下端
４３Ａ，４３Ｂ，４３Ｃ，４３Ｄ    支柱の上端の受け部
４４Ａ，４４Ｂ，４４Ｃ，４４Ｄ    支柱の移動端
４５Ａ    アーム部
４６Ａ    中央ピン
４７    アーム固定部
６１    ボール収容部の開口部
６２    ボール収容部のカバー
６３    ボール収容部の開閉規制部
６４    かご部の持ち手
６５    ボール収容部の外縁に設けられた通し穴を有した帯
７１Ａ，７１Ｂ，７１Ｃ，７１Ｄ，７１Ｅ，７１Ｆ    かご枠体の棒状部材
７２Ａ，７２Ｂ，７２Ｃ，７２Ｄ，７２Ｅ，７２Ｆ    かご枠体の連結部
７３Ａ，７３Ｂ，７３Ｃ，７３Ｄ，７３Ｅ，７３Ｆ    かご枠体の枢軸
θＡ，θＢ，θＣ，θＤ，θＥ，θＦ    連結部で棒状部材が構成する内角
ＤＬ１，ＤＬ２，ＤＬ３    かご枠体の平面視多角形における対角線
【図１】
0003203487.tif 000003
【図２】
0003203487.tif 000004
【図３】
0003203487.tif 000005
【図４】
0003203487.tif 000006
【図５】
0003203487.tif 000007
【図６】
0003203487.tif 000008